(57)【特許請求の範囲】
【請求項１】
無線通信装置によって実行可能な方法であって、
非アンカ・セル基地局に対して識別可能な基準に基づいて、コーディネート・マルチポイント（ＣｏＭＰ）環境において、アクノレッジメントのためのリソースを識別することと、ここで、前記基準は、モバイル・デバイスに関連付けられた識別子を備え、前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
受信した送信に応答して、前記リソースによって、前記モバイル・デバイスと前記非アンカ・セル基地局との間の前記アクノレッジメントを交換することとを備える方法。
【請求項２】
前記ＣｏＭＰ環境において、協調技術が実施される請求項１に記載の方法。
【請求項３】
前記協調技術は、サイト間パケット共有、協調的ビームフォーミング、または協調的サイレンスによる複合送信のうちの１または複数である請求項２に記載の方法。
【請求項４】
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つである請求項１に記載の方法。
【請求項５】
前記識別子は、予め定めたリソースのセットにマップする請求項１に記載の方法。
【請求項６】
前記基準は、前記受信した送信に対応する物理リソースである請求項１に記載の方法。
【請求項７】
前記物理リソースは、アンカ・セル基地局によってスケジュールされる請求項６に記載の方法。
【請求項８】
アンカ・セル基地局は、協調技術を実施した場合、前記物理リソースを、前記非アンカ・セル基地局に対して、スケジュールされたものとして示すので、前記物理リソースは、前記非アンカ・セル基地局に対して識別可能である請求項６に記載の方法。
【請求項９】
前記受信した送信に関連付けられた可能なトラフィック・リソース設定のセットから、特定のトラフィック・リソース設定を認識することと、
前記特定のトラフィック・リソース設定のリンクされたアクノレッジメントのためのリソースを識別することとをさらに備える請求項６に記載の方法。
【請求項１０】
前記受信した送信をダウンリンクで取得することと、
前記アクノレッジメントをアップリンクで送信することとをさらに備える請求項１に記載の方法。
【請求項１１】
前記受信した送信をアップリンクで取得することと、
前記アクノレッジメントをダウンリンクで送信することとをさらに備える請求項１に記載の方法。
【請求項１２】
前記ダウンリンクで送信されるアクノレッジメントのために、専用基準信号を利用することをさらに備える請求項１１に記載の方法。
【請求項１３】
前記非アンカ・セル基地局からのアクノレッジメントを前記ダウンリンクで送信することをさらに備える請求項１１に記載の方法。
【請求項１４】
無線通信装置であって、
協調技術が実施されるコーディネート・マルチポイント（ＣｏＭＰ）環境において、送信を受信し、
非アンカ・セル基地局に対して識別可能な基準に基づいて、前記送信に応答するアクノレッジメントのためのリソースを識別し、ここで、前記基準は、予め定めたリソースのセットにマップするモバイル・デバイスに関連付けられた識別子を備え、前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
前記リソースを利用して、前記モバイル・デバイスと前記非アンカ・セル基地局との間の前記アクノレッジメントを交換するように構成された少なくとも１つのプロセッサを備える無線通信装置。
【請求項１５】
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つである請求項１４に記載の無線通信装置。
【請求項１６】
前記基準は、前記送信に対応する物理リソースである請求項１４に記載の無線通信装置。
【請求項１７】
前記物理リソースは、前記協調技術が実施された場合に、前記非アンカ・セル基地局へスケジュールされたものとして前記物理リソースを示すアンカ・セル基地局を介して前記非アンカ・セル基地局に識別可能である請求項１６に記載の無線通信装置。
【請求項１８】
前記送信に関連付けられた可能なサブ帯域のセットから、特定のサブ帯域を認識し、
前記特定のサブ帯域へマップされたアクノレッジメントのためのリソースを識別するように構成された少なくとも１つのプロセッサをさらに備える請求項１６に記載の無線通信装置。
【請求項１９】
装置であって、
コーディネート・マルチポイント（ＣｏＭＰ）環境において送信を受信する手段と、
前記送信に関連付けられた物理リソース、または、モバイル・デバイスに対応する識別子のうちの少なくとも１つに応じて、前記送信に対するアクノレッジメントのために利用するリソースを選択する手段と、ここで、前記識別子は、非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
前記リソースを用いて、前記送信に応答して、前記モバイル・デバイスと前記非アンカ・セル基地局との間の前記アクノレッジメントを交換する手段とを備える装置。
【請求項２０】
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つである請求項１９に記載の装置。
【請求項２１】
前記物理リソースは、前記ＣｏＭＰ環境において協調技術が実施された場合に、前記非アンカ・セル基地局へスケジュールされたものとして前記物理リソースを示すアンカ・セル基地局を介して非アンカ・セル基地局に識別可能である請求項１９に記載の装置。
【請求項２２】
コンピュータ読取可能な記録媒体であって、
少なくとも１つのコンピュータに対して、協調技術を適用するコーディネート・マルチポイント（ＣｏＭＰ）環境において送信を受信させるためのコードと、
前記少なくとも１つのコンピュータに対して、前記送信に関連付けられた物理リソース、または、モバイル・デバイスに対応する識別子のうちの少なくとも１つに応じて、前記送信に対するアクノレッジメントのために利用するリソースを選択させるためのコードと、ここで、前記識別子は、非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
前記少なくとも１つのコンピュータに対して、前記リソースを用いて、前記送信に応答して、前記モバイル・デバイスと前記非アンカ・セル基地局との間の前記アクノレッジメントを交換させるためのコードとを備えるコンピュータ読取可能な記録媒体。
【請求項２３】
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つである請求項２２に記載のコンピュータ読取可能な記録媒体。
【請求項２４】
前記物理リソースは、前記ＣｏＭＰ環境において協調技術が実施された場合に、前記非アンカ・セル基地局へスケジュールされたものとして前記物理リソースを示すアンカ・セル基地局を介して非アンカ・セル基地局に識別可能である請求項２２に記載のコンピュータ読取可能な記録媒体。
【請求項２５】
装置であって、
送信のためのチャネルをモニタする受信構成要素と、
コーディネート・マルチポイント（ＣｏＭＰ）環境において、非アンカ・セル基地局によって識別可能な１または複数の基準に基づいて、前記送信に応答するアクノレッジメントのためのリソースを選択するリソース選択構成要素と、ここで、前記基準は、予め定めたリソースのセットにマップするモバイル・デバイスに関連付けられた識別子を備え、前記識別子は、非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
前記リソースを利用することによって、前記モバイル・デバイスと前記非アンカ・セル基地局との間の前記アクノレッジメントを交換するアクノレッジメント送信構成要素とを備える装置。
【請求項２６】
サイト間パケット共有、協調的ビームフォーミング、または協調的サイレンスによる複合送信のうちの１または複数を有効にするために、少なくとも１つの別の基地局との動作を調整する協調構成要素をさらに備える請求項２５に記載の装置。
【請求項２７】
無線通信装置によって実行可能な方法であって、
非アンカ・セル基地局に対して識別可能な基準に基づいて、コーディネート・マルチポイント（ＣｏＭＰ）環境において、アクノレッジメントのためのリソースを認識することと、ここで、前記基準は、予め定めたリソースのセットにマップするモバイル・デバイスに関連付けられた識別子を備え、前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
前記モバイル・デバイスと前記非アンカ・セル基地局との間で交換される前記アクノレッジメントを検出するため前記リソースをモニタすることとを備える方法。
【請求項２８】
前記ＣｏＭＰ環境において、協調技術が実施され、前記協調技術は、サイト間パケット共有、協調的ビームフォーミング、または協調的サイレンスによる複合送信のうちの１または複数である請求項２７に記載の方法。
【請求項２９】
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つである請求項２７に記載の方法。
【請求項３０】
前記基準は、送信が送られる物理リソースであり、前記アクノレッジメントが、前記送信に応答する請求項２７に記載の方法。
【請求項３１】
アンカ・セル基地局は、協調技術が実施された場合、前記物理リソースを、前記非アンカ・セル基地局に対してスケジュールされたものとして示すので、前記物理リソースは、前記非アンカ・セル基地局に対して識別可能である請求項３０に記載の方法。
【請求項３２】
アンカ・セル基地局によって送られた送信に応答するアクノレッジメントを検出するために、前記非アンカ・セル基地局を用いて前記リソースをモニタすることをさらに備える請求項２７に記載の方法。
【請求項３３】
無線通信装置であって、
非アンカ・セル基地局に対して識別可能な基準に基づいて、コーディネート・マルチポイント（ＣｏＭＰ）環境において、アクノレッジメントのためのリソースを認識し、ここで、前記基準は、予め定めたリソースのセットにマップするモバイル・デバイスに関連付けられた識別子を備え、前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
前記リソースにおいて、前記モバイル・デバイスと前記非アンカ・セル基地局との間で交換される前記アクノレッジメントを検出するように構成された少なくとも１つのプロセッサを備える無線通信装置。
【請求項３４】
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つである請求項３３に記載の無線通信装置。
【請求項３５】
前記基準は、トラフィックが送られる物理リソースであり、前記アクノレッジメントが、前記トラフィックに応答する請求項３３に記載の無線通信装置。
【請求項３６】
装置であって、
送信に関連付けられた物理リソース、または、モバイル・デバイスに対応する識別子のうちの少なくとも１つに応じて、コーディネート・マルチポイント（ＣｏＭＰ）環境において、前記送信に対するアクノレッジメントのためのリソースを識別する手段と、ここで、前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
前記リソースにおける前記モバイル・デバイスと前記非アンカ・セル基地局との間で交換されるアクノレッジメントの受信を検出する手段とを備える装置。
【請求項３７】
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つである請求項３６に記載の装置。
【請求項３８】
コンピュータ読取可能な記録媒体であって、
少なくとも１つのコンピュータに対して、送信に関連付けられた物理リソース、または、モバイル・デバイスに対応する識別子のうちの少なくとも１つに応じて、協調技術を適用するコーディネート・マルチポイント（ＣｏＭＰ）環境において、前記送信に対するアクノレッジメントのためのリソースを認識させるためのコードと、ここで、前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、
少なくとも１つのコンピュータに対して、前記リソースにおける前記モバイル・デバイスと前記非アンカ・セル基地局との間で交換されるアクノレッジメントの受信を検出させるためのコードとを備えるコンピュータ読取可能な記録媒体。
【請求項３９】
装置であって、
コーディネート・マルチポイント（ＣｏＭＰ）環境におけるサイト間パケット共有、協調的ビームフォーミング、協調的サイレンスによる複合送信のうちの１または複数を有効にするために、少なくとも１つの別の基地局との動作を調整する協調構成要素と、
前記送信に関連付けられた物理リソース、または、モバイル・デバイスに対応する識別子のうちの１または複数に基づいてアクノレッジメントのためのリソースを認識し、ここで、前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられる、および、前記リソースにおいて、前記モバイル・デバイスと前記非アンカ・セル基地局との間で交換される前記アクノレッジメントが受信されたかを認識するために前記リソースを観察するアクノレッジメント復調構成要素とを備える装置。
【発明の詳細な説明】
【優先権主張】
【０００１】
本特許出願は、本願の譲受人に譲渡され、本明細書において参照によって明確に組み込まれている２００８年１０月２４日に出願の“Ｃ−ＲＮＴＩ  ＢＡＳＥＤ  ＡＣＫ  ＦＯＲ  ＳＯＦＴ  ＨＡＮＤＯＦＦ  ＡＮＤ  Ｎ−ＭＩＭＯ  ＩＮ  ＯＦＤＭＡ”と題された仮出願６１／１０８，３０２に対する優先権を主張する。
【技術分野】
【０００２】
以下の記載は、一般に無線通信に関し、さらに詳しくは、コーディネート（coordinated）・マルチポイント（ＣｏＭＰ）を適用する無線通信環境において、アンカ・セル基地局と非アンカ・セル基地局とによって認識可能な基準に基づいて、アクノレッジメント（ＡＣＫ）が送信または受信されうるリソースを識別することに関する。
【背景技術】
【０００３】
無線通信システムは、例えば、音声、データ等のようなさまざまなタイプの通信コンテンツを提供するために広く開発された。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
従来、複数の基地局および複数のモバイル・デバイスを備えた無線通信ネットワークでは、モバイル・デバイスはおのおのの、一般に、複数の基地局のうちの特定の１つと関連付けられる。例えば、モバイル・デバイスは、信号強度、チャネル品質インジケータ（ＣＱＩ）等のようなさまざまな要因に応じて、所与の基地局と関連付けられうる。したがって、モバイル・デバイスは、所与の基地局によってサービス提供され（例えば、アップリンク送信およびダウンリンク送信がその間で交換され）、近隣の他の基地局は、干渉をもたらしうる。
【０００６】
さらに、基地局間の協調が、より一般的に導入されるようになった。特に、無線通信ネットワーク内の複数の基地局が、相互に接続されうる。これによって、基地局間のデータ共有および、基地局間の通信等が可能となる。例えば、都市を横切る無線通信ネットワーク構成では、この構成に含まれる基地局は、基地局の近傍内に位置するモバイル・デバイスのセットに対してサービス提供しうる。したがって、複数のソースおよび／または宛先が、無線通信ネットワーク内のデバイス間でのデータ、制御シグナリング、および／または、その他の情報の送信および受信のための協調的な戦略の一部として利用されうる。それぞれの送信のために複数のソースおよび／または宛先を用いることで、より高いデータ・レート、改善された信号品質、および、その他の利点がもたらされうる。例によれば、無線通信ネットワークは、ネットワーク複数入力複数出力（Ｎ−ＭＩＭＯ）システムであるか、あるいは、コーディネート（coordinated）・マルチポイント（ＣｏＭＰ）システムでありうる。（ＣｏＭＰ）システムでは、１または複数のモバイル・デバイスと情報を交換するために、複数の基地局が協調する。
【０００７】
従来、複数の基地局が、Ｎ−ＭＩＭＯシステムまたはＣｏＭＰシステムの一部として協調する場合、モバイル・デバイスをスケジュールすること、または、モバイル・デバイスと制御シグナリングを交換することを担当しない非アンカ・セル基地局は、アップリンクによってアクノレッジメント（ＡＣＫ）を送信するためにモバイル・デバイスによって利用されるリソースを認識することができない。したがって、非アンカ・セル基地局は一般に、アップリンクによってモバイル・デバイスによってオーバ・ザ・エアによって送信されたアクノレッジメントの復調、検出、受信等に失敗しうる。一方、オーバ・ザ・エアによってアクノレッジメントを受信し、これら情報をバックホールで転送するアンカ・セル基地局から、非アンカ・セル基地局はしばしば、モバイル・デバイスによってアップリンクによって送信されたアクノレッジメントに関する情報を取得しうる。別の例によれば、従来のＮ−ＭＩＭＯシステムまたはＣｏＭＰシステムにおける非アンカ・セル基地局は、モバイル・デバイスへダウンリンクによってアクノレッジメントを送信するために適用するリソースを識別することができない。
【発明の概要】
【０００８】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００９】
１または複数の実施形態および対応する開示によれば、コーディネート（coordinated）マルチポイント（ＣｏＭＰ）を導入する無線通信環境においてアクノレッジメントが送信または受信されうるリソースの識別を容易にすることに関するさまざまな態様が記載される。これらリソースは、（アンカ・セル基地局、モバイル・デバイス等のみならず）非アンカ・セル基地局に対して識別可能でありうる基準に基づいて識別されうる。これらの基準は、モバイル・デバイスに対応する識別子となることができ、ここで、識別子は、予め定めたリソースのセットにマップする。この識別子の例は、媒体アクセス制御識別子（ＭＡＣＩＤ）、セル・ラジオ・ネットワーク・テンポラリ識別子（Ｃ−ＲＮＴＩ）、ショートＣ−ＲＮＴＩ等を含みうる。さらに、これらの基準は、送信に対応する物理リソースであることができ、この場合、送信に対してアクノレッジメントが応答する。さらに、アクノレッジメントは、（例えば、サイト間パケット共有、協調的ビームフォーミング、協調的サイレンス等による複合送信のような）協調技術と関連して送信または受信されうる。
【００１０】
関連する態様によれば、本明細書において、方法が記載される。この方法は、非アンカ・セル基地局に対して識別可能な基準に基づいて、コーディネート・マルチポイント（ＣｏＭＰ）環境において、アクノレッジメントのためのリソースを識別することを含みうる。さらに、この方法は、受信した送信に応答して、リソースによって、アクノレッジメントを送信することを含みうる。
【００１１】
別の態様は、無線通信装置に関する。この無線通信装置は、少なくとも１つのプロセッサを含みうる。この少なくとも１つのプロセッサは、協調技術が実施されるコーディネート・マルチポイント（ＣｏＭＰ）環境において、送信を受信するように構成されうる。また、少なくとも１つのプロセッサは、非アンカ・セル基地局に対して識別可能な基準に基づいて、送信に応答するアクノレッジメントのためのリソースを識別するように構成されうる。さらに、少なくとも１つのプロセッサは、このリソースを利用してアクノレッジメントを送信するように構成されうる。
【００１２】
また別の態様は、無線通信装置に関する。この無線通信装置は、コーディネート・マルチポイント（ＣｏＭＰ）環境において送信を受信する手段を含みうる。さらに、この無線通信装置は、この送信に関連付けられた物理リソース、または、モバイル・デバイスに対応する識別子のうちの少なくとも１つに応じて、この送信に対するアクノレッジメントのために利用するリソースを選択する手段を含みうる。また、この無線通信装置は、このリソースを用いて、送信に応答してアクノレッジメントを送る手段を含みうる。
【００１３】
また、別の態様は、コンピュータ読取可能媒体を備えうるコンピュータ・プログラム製品に関する。このコンピュータ読取可能媒体は、少なくとも１つのコンピュータに対して、協調技術を適用するコーディネート・マルチポイント（ＣｏＭＰ）環境において送信を受信させるためのコードを含みうる。また、このコンピュータ読取可能媒体は、少なくとも１つのコンピュータに対して、この送信に関連付けられた物理リソース、または、モバイル・デバイスに対応する識別子のうちの少なくとも１つに応じて、この送信に対するアクノレッジメントのために利用するリソースを選択させるためのコードを含みうる。さらに、このコンピュータ読取可能媒体は、少なくとも１つのコンピュータに対して、このリソースを用いて、送信に応答してアクノレッジメントを送らせるためのコードを含みうる。
【００１４】
さらに別の態様は、送信のためのチャネルをモニタする受信構成要素を含みうる装置に関する。さらに、この装置は、コーディネート・マルチポイント（ＣｏＭＰ）環境において、非アンカ・セル基地局によって識別可能な１または複数の基準に基づいて、この送信に応答するアクノレッジメントのためのリソースを選択するリソース選択構成要素を含みうる。また、この装置は、このリソースを利用することによってアクノレッジメントを送信するアクノレッジメント送信構成要素を含みうる。
【００１５】
他の態様によれば、本明細書において、方法が記載される。この方法は、非アンカ・セル基地局に対して識別可能な基準に基づいて、コーディネート・マルチポイント（ＣｏＭＰ）環境において、アクノレッジメントのためのリソースを認識することを含みうる。さらに、この方法は、アクノレッジメントを検出するためリソースをモニタすることを備えうる。
【００１６】
別の態様は、無線通信装置に関する。この無線通信装置は、少なくとも１つのプロセッサを含みうる。この少なくとも１つのプロセッサは、非アンカ・セル基地局に対して識別可能な基準に基づいて、コーディネート・マルチポイント（ＣｏＭＰ）環境において、アクノレッジメントのためのリソースを認識するように構成されうる。さらに、この少なくとも１つのプロセッサは、リソースにおいてアクノレッジメントを検出するように構成されうる。
【００１７】
さらに別の態様は、無線通信装置に関する。この無線通信装置は、送信に関連付けられた物理リソース、または、モバイル・デバイスに対応する識別子のうちの少なくとも１つに応じて、コーディネート・マルチポイント（ＣｏＭＰ）環境において、この送信に対するアクノレッジメントのためのリソースを識別する手段を含みうる。さらに、この無線通信装置は、このリソースにおけるアクノレッジメントの受信を検出する手段を備えうる。
【００１８】
また、別の態様は、コンピュータ読取可能媒体を備えうるコンピュータ・プログラム製品に関する。このコンピュータ読取可能媒体は、少なくとも１つのコンピュータに対して、送信に関連付けられた物理リソース、または、モバイル・デバイスに対応する識別子のうちの少なくとも１つに応じて、協調技術を適用するコーディネート・マルチポイント（ＣｏＭＰ）環境において、この送信に対するアクノレッジメントのためのリソースを認識させるためのコードを備えうる。さらに、このコンピュータ読取可能媒体は、少なくとも１つのコンピュータに対して、リソースにおけるアクノレッジメントの受信を検出させるためのコードを含みうる。
【００１９】
また別の態様は、コーディネート・マルチポイント（ＣｏＭＰ）環境におけるサイト間パケット共有、協調的ビームフォーミング、協調的サイレンスによる複合送信のうちの１または複数を有効にするために、少なくとも１つの別の基地局との動作を調整する協調構成要素を含みうる装置に関する。さらに、この装置は、送信に関連付けられた物理リソース、または、モバイル・デバイスに対応する識別子のうちの１または複数に基づいてアクノレッジメントのためのリソースを認識し、このリソースにおいてアクノレッジメントが受信されたかを認識するためにリソースを観察するアクノレッジメント復調構成要素を含みうる。
【００２０】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００２１】
【図１】図１は、本明細書に記載されたさまざまな態様にしたがう無線通信システムの例示である。
【図２】図２は、無線通信環境において、アンカ・セル基地局または非アンカ・セル基地局によって識別可能な、アクノレッジメントのためのリソースを適用するシステムの例示である。
【図３】図３は、コーディネート・マルチポイント（ＣｏＭＰ）を導入する無線通信環境において、アップリンク・アクノレッジメントを転送するシステムの例示である。
【図４】図４は、コーディネート・マルチポイント（ＣｏＭＰ）を導入する無線通信環境において、ダウンリンク・アクノレッジメントを交換するシステムの例示である。
【図５】図５は、無線通信環境において、クラスタ内に、サイト間パケット共有（ＩＳＰＳ）（例えば、コヒーレントなＩＳＰＳ）を適用するシステムの例示である。
【図６】図６は、無線通信環境において、クラスタ内で、協調的ビームフォーミングを実施するシステムの例示である。
【図７】図７は、無線通信環境において、クラスタ内で、協調的サイレンス（ＣＳ）を有効にするシステムの例示である。
【図８】図８は、無線通信環境において、アクノレッジメントを生成することを容易にする方法の例示である。
【図９】図９は、無線通信環境において、アクノレッジメントを取得することを容易にする方法の例示である。
【図１０】図１０は、ＣｏＭＰ無線通信システムにおいて、アクノレッジメントを送信および／または受信するモバイル・デバイスの例示である。
【図１１】図１１は、ＣｏＭＰ無線通信環境において、アクノレッジメントを送信および／または受信するシステムの例示である。
【図１２】図１２は、本明細書に記載されたさまざまなシステムおよび方法と共に適用されうる無線ネットワーク環境の例示である。
【図１３】図１３は、無線通信環境においてアクノレッジメントを生成することを可能にするシステムの例示である。
【図１４】図１４は、無線通信環境において、アクノレッジメントのためのチャネルをモニタすることを可能にするシステムの例示である。
【発明を実施するための形態】
【００２２】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００２３】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２４】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは無線モデムに接続されたその他の処理デバイスでありうる。さらに、本明細書では、さまざまな態様が、基地局に関して記載される。基地局は、無線端末と通信するために利用することができ、アクセス・ポイント、ノードＢ、イボルブド・ノードＢ（ｅＮｏｄｅ  Ｂ、ｅＮＢ）、あるいはその他のいくつかの用語で称されうる。
【００２５】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２６】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびウルトラ・モバイル・ブロードバンド（ＵＭＢ）は、“第３世代パートナシップ計画２”（３ＧＰＰ２）と命名された機構からの文書に記載されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２７】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２８】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２９】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００３０】
基地局１０２は、モバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３１】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００３２】
基地局１０２およびモバイル・デバイス１１６、１２２は、例えば（ネットワーク複数入力複数出力（ＭＩＭＯ）環境のような）コーディネート・マルチポイント（ＣｏＭＰ）環境のような協調的な無線通信環境において適用されうる。例えば、基地局１０２は、マクロ・セル基地局、ピコ・セル基地局、フェムト・セル基地局、ミクロ・セル基地局等でありうる。さらに、（図示しない）別の基地局（単数または複数）は、近隣に位置する基地局１０２であり得る。これら近隣基地局は、マクロ・セル基地局、ピコ・セル基地局、フェムト・セル基地局、ミクロ・セル基地局、これらの組み合わせ等でありうる。
【００３３】
さまざまな態様によれば、モバイル・デバイス１１６およびモバイル・デバイス１２２はおのおの、任意の適切な数の基地局（例えば、基地局１０２、別の基地局（単数または複数））と通信しうる。例えば、モバイル・デバイス１１６およびモバイル・デバイス１２２はおのおの、例えばネットワーク複数入力複数出力（ネットワークＭＩＭＯまたはＮ−ＭＩＭＯ）技術、コーディネート・マルチポイント（ＣｏＭＰ）技術、および／または、その他の技術のような１または複数の技術を利用しうる。これによって、単一のモバイル・デバイス１１６、１２２が、複数の基地局（例えば、基地局１０２、別の基地局（単数または複数））および／またはセクタと通信できるようになる。さらに、あるいは、その代わりに、基地局１０２とモバイル・デバイス（例えば、モバイル・デバイス１１６およびモバイル・デバイス１２２のうちの１つ）との間の通信は、近くにあるその他の基地局および／またはモバイル・デバイスに対して支配的な強い干渉となりうる。例えば、モバイル・デバイスが、このモバイル・デバイスにサービス提供する基地局１０２に対応する有効通信範囲領域の端部に位置する場合、モバイル・デバイスとこのサービス提供基地局１０２との間の通信は、モバイル・デバイスの範囲内の１または複数のその他の基地局に対する干渉をもたらしうる。これによって、モバイル・デバイスは、多様な環境において通信しない。例えば、これは、モバイル・デバイスが、フェムト・セル基地局の有効通信範囲領域内に位置する場合、フェムト・セル基地局を含むシステムにおいて引き起こりうる。その後、モバイル・デバイスは、マクロ・セル基地局の有効通信範囲領域へ組み込まれる。
【００３４】
別の態様によれば、システム１００内の基地局（例えば、基地局１０２、別の基地局（単数または複数））は、所与のモバイル・デバイス１１６、１１２との通信に関連付けられたデータ・レートを増加させるため、および／または、システム１００内のモバイル・デバイス１１６、１２２および／または他の基地局にもたらされた干渉を低減するために、１または複数の協調的な戦略に準じた調整を行いうる。一例において、システム１００内のそれぞれの基地局は、１または複数のモバイル・デバイス１１６、１２２への送信のために、例えば、協調的サイレンス（ＣＳ）、ｅノードＢ間（サイト間）パケット共有による複合送信（ＪＴ）、協調的ビームフォーミング（ＣＢＦ）、および／または、当該技術分野で一般に知られているその他任意の適切な協調技術（単数または複数）のような複数の協調的技術のうちの１または複数を利用するように動作可能でありうる。別の例では、例えば通信のために利用されるべきそれぞれの協調的技術、このような協調的技術のために利用されるべき基地局、および、協調的な通信によってサービス提供されるべきそれぞれのモバイル・デバイス１１６、１２２のようなシステム１００のさまざまな動作態様は、マージナル・ユーティリティ計算（marginal utility calculations）および／またはその他任意の適切なメトリックに少なくとも部分的に基づきうる。
【００３５】
ＣｏＭＰ環境では、（例えば、基地局１０２や別の基地局のような）所与の基地局は、特定の時間において、（例えば、モバイル・デバイス１１６、１２２のうちの１つのような）特定のモバイル・デバイスのためのアンカ・セル基地局でありうる。アンカ・セル基地局は、特定のモバイル・デバイスのスケジューリング、特定のモバイル・デバイスとの制御シグナリングの交換等を担当しうる。さらに、適用されている協調技術（単数または複数）に依存して、（例えば、特定のモバイル・デバイスのスケジューリングや、特定のモバイル・デバイスとの制御シグナリングの交換を担当しない基地局のような）非アンカ・セル基地局（単数または複数）が、特定のモバイル・デバイスへのデータの送信、特定のモバイル・デバイスからのデータの受信、特定のモバイル・デバイスへの干渉の緩和等を行いうる。上記を有効にするために、非アンカ・セル基地局（単数または複数）は、特定のモバイル・デバイスからアップリンクによってアクノレッジメント（ＡＣＫ）を受信するか、および／または、特定のモバイル・デバイスへダウンリンクによってアクノレッジメントを送信しうる。本明細書における説明の多くはアクノレッジメントに関連しているが、記述は、否定的なアクノレッジメント（ＮＡＫ）にも拡張されうることが考慮される。
【００３６】
システム１００は、アンカ・セル基地局および非アンカ・セル基地局（単数または複数）によって認識可能な基準に基づいて、アクノレッジメントが送信されうるリソースを識別することをサポートしうる。アンカ・セル基地局によって知られ、（例えば非アンカ・セル基地局（単数または複数）のような）その他の基地局によって知られていないことのみならず、これら基準は、非アンカ・セル基地局（単数または複数）や、非サービス提供基地局（単数または複数）等に対してより容易に利用可能でありうる。例によれば、非アンカ・セル基地局は、識別されたリソースで、モバイル・デバイスからオーバ・ザ・エアによって受信したアクノレッジメントの検出、復調等を行いうる。さらなる例によれば、非アンカ・セル基地局は、識別されたリソースを用いて、オーバ・ザ・エアによってモバイル・デバイスへアクノレッジメントを送信しうる。一方、従来技術はしばしば、アクノレッジメントを通信するために利用されるリソースを、アンカ・セル基地局によって送信される許可へリンクさせる。したがって、非アンカ・セル基地局は一般に、アンカ・セル基地局によって提供された許可を知らないので、非アンカ・セル基地局は一般に、アクノレッジメントがモバイル・デバイスから受信されたかを区別するためにモニタするリソースを識別することも、あるいは、アクノレッジメントをモバイル・デバイスへ送信することもできない。
【００３７】
図２に移って、無線通信環境において、アンカ・セル基地局および非アンカ・セル基地局によって識別可能なアクノレッジメントのためのリソースを適用するシステム２００が例示されている。システム２００は、アクノレッジメントを（例えば、アップリンクやダウンリンクのような）チャネルによって無線通信装置２  ２０４へ送信する無線通信装置１  ２０２を含む。図示していないが、無線通信装置１  ２０２および無線通信装置２  ２０４は、実質的に同じでありうることが認識されるべきであり、したがって、無線通信装置２  ２０４は、アクノレッジメントを無線通信装置１  ２０２へ送信しうることが考慮される。例えば、無線通信装置１  ２０２は、（例えば、図１の基地局１０２のような）基地局、（例えば、図１のモバイル・デバイス１１６や、図１のモバイル・デバイス１２２のような）モバイル・デバイス等でありうる。さらに、無線通信装置２  ２０４は、（例えば、図１のモバイル・デバイス１１６や、図１のモバイル・デバイス１２２のような）モバイル・デバイス、（例えば、図１の基地局１０２のような）基地局等でありうる。
【００３８】
無線通信装置１  ２０２は、受信構成要素２０６、リソース選択構成要素２０８、およびアクノレッジメント送信構成要素２１０を含みうる。受信構成要素２０６は、（例えば、無線通信装置２  ２０４や、（図示しない）別の無線通信装置（単数または複数）によって送られた）送信を求めてチャネルをモニタしうる。この送信は、情報、信号、データ、命令群、コマンド、ビット、シンボル等を含みうる。さらに、この送信は、（例えば、許可のような）制御情報、トラフィック等を備えうる。さらに、受信構成要素２０６は、この送信を取得、複合等しうる。この送信を受信構成要素２０６を用いて受信することによって、無線通信装置１  ２０２は、アクノレッジメントを生成する。さらに詳しくは、リソース選択構成要素２０８は、アクノレッジメントを送るために利用するべきリソースを選択しうる。リソース選択構成要素２０８は、例えば、モバイル・デバイスに関連付けられた識別子、受信構成要素２０６によって取得された送信のために適用されるリソース等のように、非アンカ・セル基地局（単数または複数）によって識別可能な１または複数の基準に基づいて、アクノレッジメントのためのリソースを選択しうる。アクノレッジメントのためのリソースは、１または複数の基準にマップしうる。さらに、選択されたリソースを用いることにより、アクノレッジメント送信構成要素２１０が、アクノレッジメントを送信しうる。
【００３９】
無線通信装置２  ２０４はさらに、無線通信装置１  ２０２によって送信されたアクノレッジメントのためのチャネル（例えば、アップリンク、ダウンリンク）をモニタしうるアクノレッジメント復調構成要素２１２を含みうる。アクノレッジメント復調構成要素２１２は、アクノレッジメントを送るために無線通信装置１  ２０２によって使用されうるリソースを識別し、アクノレッジメントが、無線通信装置１  ２０２によって、識別されたリソースで送信されているかを認識するために、識別されたリソースを観察しうる。アクノレッジメント復調構成要素２１２は、アクノレッジメントが１または複数の基準（例えば、モバイル・デバイスに関連付けられた識別子、無線通信装置１  ２０２へ送られる送信のために適用されるリソース）に基づいて、送信されうるリソースを検出しうる。
【００４０】
１または複数の基準は、無線通信装置１  ２０２と無線通信装置２  ２０４との両方に知られうる。さらに、１または複数の基準と、アクノレッジメント・リソースとの間の予め定めた関係が存在し、この関係が、無線通信装置１  ２０２（例えば、リソース選択構成要素２０８）と、無線通信装置２  ２０４（例えば、アクノレッジメント復調構成要素２１２）との両方によって分析されうる。したがって、無線通信装置１  ２０２が、モバイル・デバイス、アンカ・セル基地局、あるいは非アンカ・セル基地局であるか、および、無線通信装置２  ２０４が、アンカ・セル基地局、非アンカ・セル基地局、あるいはモバイル・デバイスであるかに関わらず、無線通信装置２０２−２０４の両方は、無線通信装置１  ２０２から無線通信装置２  ２０４へアクノレッジメントを送信するために利用されるべきリソースに関する共通理解を持つ。
【００４１】
例によれば、１または複数の基準は、モバイル・デバイスに関連付けられた識別子を含みうる。したがって、アクノレッジメントは、例えば、モバイル・デバイスの媒体アクセス制御識別子（ＭＡＣＩＤ）のような、モバイル・デバイスに関連付けられた識別子に基づいてチャネル化されうる。さらなる例によれば、識別子は、セル・ラジオ・ネットワーク・テンポラリ識別子（Ｃ−ＲＮＴＩ）あるいはショートＣ−ＲＮＴＩでありうる。この識別子は、セル間でネゴシエートされうるので、この識別子は、モバイル・デバイスがシステムに入ると、モバイル・デバイスに割り当てられうる。さらに、この識別子は、モバイル・デバイスに準静的に割り当てられ、モバイル・デバイスと、（例えば、物理／媒体アクセス制御（ＰＨＹ／ＭＡＣ）レベルにおけるような）他のモバイル・デバイスとを区別しうる。例によれば、ショートＣ−ＲＮＴＩ、Ｃ−ＲＮＴＩ、ＭＡＣＩＤ等は、アクノレッジメントが送信さるリソースの予め定めたセットを指定しうる。さらに、この予め定めたリソースのセットは、この予め定めたリソースのセットと、モバイル・デバイスに対応するショートＣ−ＲＮＴＩ、Ｃ−ＲＮＴＩ、ＭＡＣＩＤ等との間のマッピングに基づいて、無線通信装置１  ２０２のリソース選択構成要素２０８、および無線通信装置２  ２０４のアクノレッジメント復調構成要素２１２によって識別されうる。
【００４２】
別の例によれば、１または複数の基準は、（例えば、受信構成要素２０６によって取得されたように）送信が無線通信装置１  ２０２へ送られる物理リソースを含みうる。したがって、協調的な受信が可能であるトラフィック・リソース設定の可能な数が制限され、アクノレッジメントのために利用されるべきリソースが、これら可能なトラフィック・リソース設定にリンクされうる。例えば、アクノレッジメント・リソースは、（例えば、１．０８ＭＨｚまたは６リソース・ブロック（ＲＢ）のような）サブ帯域に関連付けられうる。この場合、非アンカ・セル基地局が、ダウンリンク送信のアクノレッジメントを受信するか、あるいは、サブ帯域のサブセットに及ぶ割当のためのアップリンク送信のアクノレッジメントを送信しうる。さらに、トラフィック割当設定の制限されたセットに対してアクノレッジメント・リソースをマップすることによって、特に、サイト間協調を保証するモバイル・デバイスの合計数が比較的大きい場合、および／または、モバイル・デバイスのセットが比較的速く変化する場合に、かなりのスケジューリング・フレキシビリティを提供しうる。さらに、協調技術を実施する場合、非アンカ・セル基地局（単数または複数）は、（例えば、複合送信を導入している場合、）リソースによって送信しており、（例えば、調整されたビームフォーミングを利用している場合、）これらリソースとの干渉を回避している等であるので、送信のために利用される物理リソースは、非アンカ・セル基地局（単数または複数）に関連しうる（例えば、アンカ・セル基地局は、送信前に非アンカ・セル基地局（単数または複数）に対して物理リソースを示しうる）。
【００４３】
一方、従来技術はしばしば、実際の割当に基づいてアクノレッジメントをチャネル化する。例えば、実際の割当は、一般にアンカ・セル基地局からモバイル・デバイスへ伝送され、一般的には、非アンカ・セル基地局（単数または複数）に対して利用不可能であるか、あるいは、知られていない。したがって、非アンカ・セル基地局（単数または複数）は、このような従来のアプローチの下では、オーバ・ザ・エアによってアクノレッジメントを送信することも受信することもできない。むしろ、一般的なアプローチの下では、アクノレッジメントは、アンカ・セル基地局から非アンカ・セル基地局へとバックホールによって転送されうる。これは、非アンカ・セル基地局によるアクノレッジメントの受信時におけるレイテンシをもたらしうる。
【００４４】
例によれば、システム２００によって、ダウンリンク・サービス提供基地局以外の基地局が、ショート・ハンドオフの一部としてアクノレッジメントを受信できるようになる。別の例によれば、システム２００は、スケジューリングや、モバイル・デバイスへの許可の送信を担当するダウンリンク・アンカ・セル基地局をサポートしうる。一方、別の非アンカ・セル基地局は、アクノレッジメントを受信しうる（例えば、非アンカ・セル基地局に関連付けられたアップリンクがより強くなりうる）。別の例によれば、システム２００によって、（例えば、サービス提供基地局のような）第１の基地局によってデータがアップリンクで受信されるようになる一方、別の第２の基地局は、（例えば、物理ハイブリッド自動反復要求（ＨＡＲＱ）インジケータ・チャネル（ＰＨＩＣＨ）によって）ダウンリンク・アクノレッジメントを送信しうる。しかしながら、権利主張された主題は、前述したものに限定されないと認識されるべきである。
【００４５】
図３を参照して、コーディネート・マルチポイント（ＣｏＭＰ）を導入する無線通信環境においてアップリンク・アクノレッジメントを転送するシステム３００が例示されている。システム３００は、モバイル・デバイス３０６にサービス提供することに関連しうるアンカ・セル基地局３０２と非アンカ・セル基地局３０４とを含みうる。図示されていないが、システム３００は、任意の数の追加の基地局および／またはモバイル・デバイスを含みうることがさらに考慮される。さらに、図示していないが、アンカ・セル基地局３０２および非アンカ・セル基地局３０４は実質液に同じでありうることが考慮されるべきである（例えば、非アンカ・セル基地局３０４は、別の時間においては、（図示しない）別のモバイル・デバイスまたはモバイル・デバイス３０６のためのアンカ・セル基地局となり、アンカ・セル基地局３０２は、別の時間においては、（図示しない）異なるモバイル・デバイスまたはモバイル・デバイス３０６のための非アンカ・セル基地局となりうる）。
【００４６】
アンカ・セル基地局３０２は、モバイル・デバイス３０６のための接続ポイントでありうる。したがって、アンカ・セル基地局３０２は、モバイル・デバイス３０６によるアップリンク送信、および／または、モバイル・デバイス３０６へのダウンリンク送信をスケジュールしうる制御送信構成要素３０８を含みうる。さらに、制御送信構成要素３０８は、アップリンク割当またはダウンリンク割当のおのおのについて、モバイル・デバイス３０６へ許可を送ることによって、モバイル・デバイス３０６と制御情報を交換しうる。この許可は、制御送信構成要素３０８によって、例えば物理ダウンリンク制御チャネル（ＰＤＣＣＨ）を介してモバイル・デバイス３０６へ送信されうる。
【００４７】
制御送信構成要素３０８は、許可が送られるモバイル・デバイス３０６のＭＡＣＩＤまたはＣ−ＲＮＴＩを用いて、この許可をスクランブルしうる。例えば、制御送信構成要素３０８は、許可のペイロードを生成し、このペイロードを符号化し、符号化されたペイロードに基づいて巡回冗長検査（ＣＲＣ）を推論し、目標とされているモバイル・デバイス３０６のＭＡＣＩＤまたはＣ−ＲＮＴＩを用いてＣＲＣをスクランブルし、スクランブルされたＣＲＣとともに情報パケットを（例えば、ＰＤＣＣＨによって）送信しうる。したがって、モバイル・デバイス３０６は、スクランブルされたＣＲＣとともに受信した情報パケットを復調し、モバイル・デバイス３０６へ向けられているのかが解読される。例によれば、モバイル・デバイス３０６は、ＣＲＣが合格するかを検出するために、モバイル・デバイス３０６に割り当てられたＭＡＣＩＤまたはＣ−ＲＮＴＩとともに受信された情報パケットの、スクランブルされたＣＲＣをスクランブルしうる。ＣＲＣが合格した場合、モバイル・デバイス３０６は、受信した許可（または、その他の制御情報）がモバイル・デバイス３０６に向けられていることを高い可能性で認識し、それにしたがって、ペイロードの解釈を続ける。一方、ＣＲＣが不合格の場合、モバイル・デバイス３０６は、この許可（またはその他の制御情報）がモバイル・デバイス３０６に向けられていないことを認識し、ペイロードの解釈がスキップされうる。
【００４８】
アンカ・セル基地局３０２がモバイル・デバイス３０６に制御情報を提供しうる一方、アンカ・セル基地局３０２および非アンカ・セル基地局３０４（および／または任意の別の基地局（単数または複数））は、モバイル・デバイス３０６（および／または任意の別のモバイル・デバイス（単数または複数））との通信のための協調的な戦略を生成するために、動作を調整しうる。それゆえ、アンカ・セル基地局３０２は、協調構成要素３１０を含み、非アンカ・セル基地局３０４は、協調構成要素３１２を含みうる。協調構成要素３１０−３１２は、１または複数の協調技術を有効にするために、アンカ・セル基地局３０２と非アンカ・セル基地局３０４との動作を調整しうる。例えば、協調技術が導入され、これによって、モバイル・デバイス３０６は、アンカ・セル基地局３０２および非アンカ・セル基地局３０４によって協調的にサービス提供される。したがって、協調構成要素３１０−３１２によって管理された実際のＭＩＭＯが実行され、アンカ・セル基地局３０２および非アンカ・セル基地局３０４が１つの基地局として効率的に取り扱われる。しかしながら、権利主張される主題は、それに限定されないことが認識されるべきである。
【００４９】
協調構成要素３１０−３１２によってサポートされる協調的な戦略によって、基地局３０２−３０４は、リソースやアンテナ等をともにプールできるようになる。さらに、そのような協調的な戦略によって、共通した協調的な戦略に含まれる基地局３０２−３０４によって、複合スケジューリングが取り扱われるようになる。さらに、共通の協調的な戦略では、基地局３０２−３０４間で情報が共有されうる。例えば、共有される情報は、（例えば、共通の協調的な戦略における基地局（単数または複数）とモバイル・デバイス（単数または複数）との間のチャネル（単数または複数）のための）チャネル情報、（例えば、共通の協調的な戦略における１または複数の基地局３０２−３０４から送信されるべき）パケット、等を含みうる。したがって、基地局３０２−３０４は互いに協調しうるが、基地局３０２−３０４は、異なる協調的な戦略に含まれている基地局とは協調する必要はない。
【００５０】
協調構成要素３１０−３１２は、システム３００内の基地局３０２−３０４と、モバイル・デバイス３０６（および／または、任意の別の基地局（単数または複数）および／またはモバイル・デバイス（単数または複数））との間のそれぞれの送信を調整しうる。一般に、協調構成要素３１０−３１２は、計算、および／または、ノード・クラスタリングに関連するスケジュール決定、スケジューリング、利用されるべき協調的な送信の生成等を行うために、それぞれの基地局３０２−３０４によって利用されうる。これらの目的のために、協調構成要素３１０−３１２は、モバイル・デバイス３０６との通信のために利用されるべき各ノードのスケジュール、モバイル・デバイス３０６との通信のために実施する協調形式の決定等を行いうる。
【００５１】
さまざまな態様によれば、例えば、モバイル・デバイス・モビリティ、モバイル・デバイス３０６に関連付けられたキャリア対干渉（Ｃ／Ｉ）レベル、基地局３０２−３０４（および／またはその他任意の基地局（単数または複数）間のバックホール・リンクの可能性等のような要因に基づいて、協調構成要素３１０−３１２によって、協調的な戦略が選択されうる。例によれば、協調構成要素３１０−３１２は、協調的サイレンス、および／または、モバイル・デバイスが高モビリティの場合における別の類似の形式の協調、および／または、所与のモバイル・デバイス３０６に関連付けられた迅速に変化するチャネル条件を選択しうる。さらに、あるいは、その代わりに、所与のモバイル・デバイス３０６のモビリティが低いと判定された場合、あるいは、モバイル・デバイス３０６に関して、高いアンテナ相関がある場合、例えば、（例えば、基地局３０２−３０４間のバックホール・リンクが比較的遅い場合における）サイト間パケット共有による複合送信、または、（例えば、基地局３０２−３０４間のバックホール・リンクが比較的速い場合における）協調的ビームフォーミングのような、より高度な協調技術が選択されうる。
【００５２】
その他の態様によれば、それぞれのモバイル・デバイス（例えば、モバイル・デバイス３０６、別のモバイル・デバイス）に関連付けられた計画されたレートは、例えばバックホール帯域幅、レイテンシ制約等のような要因とともに利用され、それぞれの協調技術間で選択されうる。例えば、協調構成要素３１０−３１２は、関連付けられた演繹的な分類、および／または、ロング・ターム・バックホール・リンク分類に基づくバックホール帯域幅およびレイテンシ不確実性を用いる複合送信技術を実施しない。別の例では、スケジューリング遅延および／またはその他の適切な要因のみならず、送信機（ＣＳＩＴ）配信遅延および精度におけるチャネル状態情報が、計画されたレート計算に考慮される。
【００５３】
モバイル・デバイス３０６へのダウンリンク送信に関連するシステム３００内の協調技術を有効にする場合、アンカ・セル基地局３０２および非アンカ・セル基地局３０４が、モバイル・デバイス３０６によって送信されたアクノレッジメントを求めてアップリンクをモニタできることが有益である。したがって、モバイル・デバイス３０６は、（例えば、図２の受信構成要素２０６に実質的に類似している）受信構成要素３１４と、（例えば、図２のリソース選択構成要素２０８に実質的に類似している）リソース選択構成要素３１６と、（例えば、図２のアクノレッジメント送信構成要素２１０に実質的に類似している）アクノレッジメント送信構成要素３１８とを含みうる。受信構成要素３１４は、送信のためのダウンリンクをモニタしうる。例えば、調整されたビームフォーミングのような協調技術が協調構成要素３１０−３１２によって導入された場合、送信は、（例えば、アンカ・セル基地局３０２のような）１つの基地局からのものでありうる。別の例によれば、例えば複合送信のような協調技術が協調構成要素３１０−３１２によって実施される場合、送信は、（例えば、アンカ・セル基地局３０２および非アンカ・セル基地局３０４のような）複数の基地局からのものでありうる。リソース選択構成要素３１６は、ダウンリンク送信を受信すると、モバイル・デバイス３０６に関連付けられた（例えば、ＭＡＣＩＤ、Ｃ−ＲＮＴＩ、ショートＣ−ＲＮＴＩのような）識別子、受信構成要素３１４によって取得された送信のために適用されるリソース等のような１または複数の基準に基づいて、アップリンクで送信されうるアクノレッジメントのために適用されるべきリソースを選択しうる。さらに、アクノレッジメント送信構成要素３１８は、選択されたリソースを適用することによって、アップリンクでアクノレッジメントを送信しうる。
【００５４】
アンカ・セル基地局３０２はさらに、アクノレッジメント復調構成要素３２０を含み、非アンカ・セル基地局３０４はさらに、アクノレッジメント復調構成要素３２２を含みうる。アクノレッジメント復調構成要素３２０−３２２はおのおの、図２のアクノレッジメント復調構成要素２１２に実質的に類似しうる。したがって、アクノレッジメント復調構成要素３２０−３２２はおのおの、（例えば、１または複数の基準に基づいて、）アップリンクでアクノレッジメントを送信することに関連してモバイル・デバイス３０６によって適用され得るリソースを認識し、アクノレッジメントが実際にアップリンクによってモバイル・デバイス３０６によって送信されたかを解明するために、これらリソースをモニタしうる。
【００５５】
例えば、非アンカ・セル基地局３０４は、たとえモバイル・デバイス３０６のためのダウンリンク・アンカ・セル基地局および／またはダウンリンク・サービス提供セル基地局ではなくても、モバイル・デバイス３０６からのアクノレッジメントを求めてアップリンクをモニタしうる最も強いアップリンク・セルでありうる。したがって、アップリンク・アクノレッジメントは、Ｃ−ＲＮＴＩ、ショートＣ−ＲＮＴＩ、ＭＡＣＩＤ、あるいは、モバイル・デバイス３０６に対応するその他任意の識別子に基づいてチャネル化されうる。さらに、あるいは、その代わりに、アップリンク・アクノレッジメントは、モバイル・デバイス３０６へ送られるダウンリンク送信のために利用される物理リースに基づいてチャネル化されうる。したがって、非アンカ・セル基地局３０４は、アンカ・セル基地局３０２（例えば、制御送信構成要素３０８）によって送信された割当（例えば、許可）を意識する必要なく、アクノレッジメントがモバイル・デバイス３０６によってアップリンクで送信されたかを検出するために、アクノレッジメント復調構成要素３２２を導入しうる。例によれば、アクノレッジメント復調構成要素３２２によって区別されるアクノレッジメントの受信によって、非アンカ・セル基地局３０４は、複合送信を導入する場合、さらなるダウンリンク送信は必要とされないこと、あるいは、調整されたビームフォーミングを実施する場合、モバイル・デバイス３０６へヌルを生成することは必要とされないことを認識できるようになる。しかしながら、権利主張された主題は、それには限定されない。
【００５６】
図４に移って、コーディネート・マルチポイント（ＣｏＭＰ）を導入する無線通信環境において、ダウンリンク・アクノレッジメントを交換するシステム４００が例示されている。システム４００は、アンカ・セル基地局３０２、非アンカ・セル基地局３０４、およびモバイル・デバイス３０６を含んでいる。しかし、権利主張される主題は、それに限定されないことが認識されるべきである。ここで説明するように、アンカ・セル基地局３０２は、制御送信構成要素３０８を含みうる。これは、モバイル・デバイス３０６によるアップリンク送信、および／または、モバイル・デバイス３０６へのダウンリンク送信をスケジュールしうる。さらに、アンカ・セル基地局３０２および非アンカ・セル基地局３０４はおのおの、本明細書で上述したような協調構成要素３１０−３１２を含みうる。
【００５７】
さらに、アンカ・セル基地局３０２は、受信構成要素４０２と、リソース選択構成要素４０４と、アクノレッジメント送信構成要素４０６とを含みうる。同様に、非アンカ・セル基地局３０４は、受信構成要素４０８と、リソース選択構成要素４１０と、アクノレッジメント送信構成要素４１２とを含みうる。受信構成要素４０２および受信構成要素４０８は、図２の受信構成要素に実質的に類似し、リソース選択構成要素４０４およびリソース選択構成要素４１０は、図２のリソース選択構成要素２０８に実質的に類似し、アクノレッジメント送信構成要素４０６およびアクノレッジメント送信構成要素４１２は、図２のアクノレッジメント送信構成要素２１０に実質的に類似しうることが考慮される。
【００５８】
モバイル・デバイス３０６は、アンカ・セル基地局３０２の制御送信構成要素３０８によって提供された許可に応答してアップリンク送信を生成しうる送信構成要素４１４を含みうる。さらに、モバイル・デバイス３０６は、アクノレッジメント復調構成要素４１６を含みうる。これは、図２のアクノレッジメント復調構成要素２１２に実質的に類似しうる。
【００５９】
例によれば、送信構成要素４１４は、アンカ・セル基地局３０２によってスケジュールされたように（例えば、制御送信構成要素３０８によって提供された制御情報によってシグナルされたように）、（例えば、アップリンク共有チャネル（ＵＬ−ＳＣＨ）によって）アップリンク送信を送りうる。モバイル・デバイス３０６から（例えば、それぞれの受信構成要素４０２、４０８を用いて）アップリンク・パケットを受信する（例えば、アンカ・セル基地局３０２、非アンカ・セル基地局３０４のような）基地局は、それに応答して、（例えば、それぞれのリソース選択構成要素４０４、４１０によって識別されたリソースで）ダウンリンクでアクノレッジメントを送信しうる。例えば、このアクノレッジメントは、物理ハイブリッド自動反復要求（ＨＡＲＱ）インジケータ・チャネル（ＰＨＩＣＨ）で送信されうる。さらに、ＰＨＩＣＨは、Ｃ−ＲＮＴＩ、ショートＣ−ＲＮＴＩ、ＭＡＣＩＤ、または、モバイル・デバイス３０６に対応するその他任意の識別子に基づいてチャネル化されたリソース・ブロック（ＲＢ）のセットで送信されうる。さらに、あるいは、その代わりに、ダウンリンク・アクノレッジメントは、モバイル・デバイス３０６から受信されたアップリンク送信のために利用される物理リソースに基づいてチャネル化されうる。さらに、アクノレッジメントのために専用基準信号が使用されるので、モバイル・デバイス３０６は、アクノレッジメントを送信する基地局を意識する必要はないことが考慮される。
【００６０】
図５乃至図７を参照して、無線通信環境におけるクラスタ内で実施されうる協調技術のさまざまな例が図示されている。おのおののクラスタは、基地局のセットおよびモバイル・デバイスのセットを含みうる。おのおののクラスタ内の基地局（単数または複数）およびモバイル・デバイス（単数または複数）は、静的または動的に定義されうる。例えば、本明細書で説明するように、クラスタは、所与の時点において、アンカ・セル基地局３０２、非アンカ・セル基地局３０４、およびモバイル・デバイス３０６を含みうる。さらに、これら協調技術の例のおのおのは、おのおののクラスタに含まれる基地局の各協調構成要素（例えば、協調構成要素３１０、３１２）によって管理、スケジュール、調整等がなされうる。サイト間パケット共有、協調的ビームフォーミング、協調的サイレンスの例が図示されている。しかしながら、これらの技術は、例示目的で示されており、権利主張される主題は、図５乃至図７に示される例に限定されないことが認識されるべきである。
【００６１】
図５に移って、無線通信環境内のクラスタ５０２内でサイト間パケット間共有（ＩＳＰＳ）（例えば、コヒーレントなＩＳＰＳ）を適用するシステム５００の例が図示される。クラスタ５０２は、基地局５０４、５０６、および、モバイル・デバイス５０８、５１０を含みうる。サイト間パケット共有はまた、複合処理または複合送信とも称されうる。サイト間パケット共有を導入する場合、クラスタ５０２内の各基地局５０４−５０６は、クラスタ５０２内に含まれる各モバイル・デバイス５０８−５１０へのデータ送信に関連しうる。
【００６２】
サイト間パケット共有は、基地局５０４−５０６毎の送信アンテナ数が制限されている場合（例えば、ノード毎のアンテナ数が制限されている場合）に最も効果的でありうる。例えば、基地局５０４−５０６はおのおの、１つの送信アンテナを含みうる。したがって、モバイル・デバイス５０８−５１０にサービス提供している場合、クラスタ５０２内の２つの基地局５０４−５０６が、２つのアンテナを備える１つの基地局として効率的に利用されうる。しかしながら、権利主張された主題は、それには限定されない。
【００６３】
サイト間パケット共有は、基地局５０４−５０６間に高帯域幅バックホールを導入しうる。さらに、システム５００では、協調している基地局５０４−５０６間の高速なアクノレッジメントおよび否定的なアクノレッジメント（（Ｎ）ＡＣＫ）の配信が使用されうる。さらに、サイト間パケット共有は、チャネル状態情報（ＣＳＩ）に影響されうる。サイト間パケット共有は、基地局５０４−５０６およびモバイル・デバイス５０８−５１０の集合によって使用されうる。これは、実質的な性能上の利点をもたらす。
【００６４】
図６を参照して、無線通信環境において、クラスタ６０２内で協調的ビームフォーミングを実施するシステム６００の例が図示されている。クラスタ６０２は、基地局６０４、６０６、および、モバイル・デバイス６０８、６１０を含みうる。協調的ビームフォーミングはまた、調整されたビームフォーミグまたは配信されたビームフォーミング（ＤＢＦ）とも称されうる。協調的ビームフォーミングを有効にするために、基地局６０４−６０６はおのおの、複数の送信アンテナを有しうる。しかしながら、権利主張される主題は、それに限定されない。
【００６５】
図示するように、クラスタ６０２内では、基地局６０４がモバイル・デバイス６１０にサービス提供し、基地局６０６がモバイル・デバイス６０８にサービス提供する。基地局６０４がモバイル・デバイス６１０に送信を送る場合、基地局６０４は、モバイル・デバイス６０８への干渉を緩和するビーム（例えば、モバイル・デバイス６０８への送信ヌルイングを備えたモバイル・デバイス６１０へのビーム）を生成しうる。したがって、基地局６０４−６０６はおのおの、クラスタ６０２内の、サービス提供されていないモバイル・デバイス（単数または複数）への干渉を低下するように、スケジューリングの調整、ビームフォーミングの制御等を行いうる。協調的ビームフォーミングは、媒体バックホール（制御）要件を導入し、サイト間パケット共有と比較して、チャネル状態情報（ＣＳＩ）に対して感度が低くなりうる。したがって、協調的ビームフォーミングは、性能上の相違に基づいて、サイト間パケット共有に対する代替として考慮されうる。しかしながら、権利主張された主題は、それには限定されない。
【００６６】
図７に移って、無線通信環境において、クラスタ７０２内の協調的サイレンス（ＣＳ）を有効にするシステム７００の例が図示されている。協調的サイレンスはまた、調整されたサイレンスとも称されうる。クラスタ７０２は、基地局７０４、７０６、７０８およびモバイル・デバイス７１０、７１２、７１４を含んでいる。図示するように、基地局７０４は、モバイル・デバイス７１０にサービス提供し、基地局７０８は、モバイル・デバイス７１４にサービス提供しうる。さらに、基地局７０６は、モバイル・デバイス７１０、７１４のためにサイレントでありうる。したがって、協調的サイレンスは、（例えば、干渉を除去するために）近隣全体に対して有益である場合に、送信を行わないノード（例えば、基地局７０６）を含みうる。さらに、協調的サイレンスは、媒体バックホール要件およびチャネル状態情報（ＣＳＩ）要件を導入しうる。しかしながら、権利主張された主題は、前述したものに限定されないと認識されるべきである。
【００６７】
図８および図９を参照して、コーディネート・マルチポイント（ＣｏＭＰ）無線通信環境においてアクノレッジメントを交換することに関連する方法が例示されている。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６８】
図８に移って、無線通信環境においてアクノレッジメントを生成することを容易にする方法８００が例示されている。８０２では、コーディネート・マルチポイント（ＣｏＭＰ）環境におけるアクノレッジメントのリソースが、非アンカ・セル基地局に対して識別可能な基準に基づいて識別されうる。例えば、ＣｏＭＰ環境では、サイト間パケット共有、協調的ビームフォーミング、協調的サイレンス等による複合送信のような１または複数の協調技術が実施されうる。ＣｏＭＰ環境ではさらに、アンカ・セル基地局が、モバイル・デバイスのシグナリング、モバイル・デバイスとの制御シグナリングの交換等を担当しうる。さらに、非アンカ・セル基地局は、ＣｏＭＰ環境において、協調技術（単数または複数）を実施する場合、モバイル・デバイスへの（例えば、トラフィックの）送信、モバイル・デバイスからの送信（例えば、トラフィック）の受信、モバイル・デバイスへの干渉の回避等を行いうる。
【００６９】
例によれば、基準は、モバイル・デバイスに関連付けられた識別子でありうる。例えば、識別子は、モバイル・デバイスの媒体アクセス制御識別子（ＭＡＣＩＤ）、モバイル・デバイスのセル・ラジオ・ネットワーク・テンポラリ識別子（Ｃ−ＲＮＴＩ）、モバイル・デバイスのショートＣ−ＲＮＴＩ等でありうる。さらに、識別子は、（例えば、非アンカ・セル基地局やアンカ・セル基地局を含む）複数の基地局間でネゴシエートされることによって、（アンカ・セル基地局のみならず）非アンカ・セル基地局に対しても識別可能であり、モバイル・デバイスが無線通信システムに入ると、モバイル・デバイスへ割り当てられうる。さらに、識別子は、モバイル・デバイスに対して準静的に割り当てられ、このモバイル・デバイスを、他のモバイル・デバイスと区別しうる。識別子は、アクノレッジメントを送信するために利用されうる予め定めたリソースのセットへマップしうる。
【００７０】
別の例によれば、これら基準は、受信された送信に対応する物理リソース（例えば、送信が受信された物理リソース）でありうる。この送信に対し、アクノレッジメントが応答する。この送信が受信される物理リソースは、アンカ・セル基地局によってスケジュールされうる。さらに、協調技術が実施される場合、アンカ・セル基地局は、スケジュールされた物理リソースを、送信前に非アンカ・セル基地局へ示すことができるので、この送信が受信される物理リソースは、非アンカ・セル基地局に対して識別可能でありうる。例えば、可能なトラフィック・リソース設定はおのおの、アクノレッジメントのための対応するリンクにそれぞれリンクされうる。したがって、このリンクに基づいて、受信された送信に関連付けられた特定のトラフィック・リソース設定が認識され、アクノレッジメントのリソースが識別されうる。さらなる例示によれば、（例えば、６リソース・ブロックや１．０８ＭＨｚのような）各サブ帯域が、アクノレッジメントのために、対応するリソースに関連付けられうる。この例示によれば、受信された送信のために適用された所与のサブ帯域が認識され、この所与のサブ帯域にマップするアクノレッジメントのリソースが識別されうる。
【００７１】
８０４では、受信された送信に応答して、このリソースによって、アクノレッジメントが送信されうる。例えば、受信された送信は、ダウンリンク送信であり、アップリンクでアクノレッジメントが送信されうる。別の例によれば、受信された送信は、アップリンク送信であり、アクノレッジメントが、（例えば、物理ハイブリッド自動反復要求（ＨＡＲＱ）インジケータ・チャネル（ＰＨＩＣＨ）によって）ダウンリンクで送信されうる。この例によれば、ダウンリンクで送信されるアクノレッジメントのために、専用基準信号が利用されうる。さらに、ダウンリンクによって送信されるアクノレッジメントは、アンカ・セル基地局、非アンカ・セル基地局等によって送信されうる。
【００７２】
図９を参照して、無線通信環境においてアクノレッジメントを取得することを容易にする方法９００が例示されている。９０２では、コーディネート・マルチポイント（ＣｏＭＰ）環境におけるアクノレッジメントのためのリソースが、非アンカ・セル基地局に対して識別可能な基準に基づいて識別されうる。これら基準は、例えば、モバイル・デバイスに対応する（例えば、ＭＡＣＩＤ、Ｃ−ＲＮＴＩ、ショートＣ−ＲＮＴＩのような）識別子、送信が送られる（例えば、送信に対してアクノレッジメントが応答する）物理リソース等でありうる。９０４では、アクノレッジメントを検出するためにリソースがモニタされうる。これらリソースは、非アンカ・セル基地局、アンカ・セル基地局、モバイル・デバイス等によってモニタされうる。さらに、アクノレッジメントが受信、復号、復調等されうる。
【００７３】
例によれば、アンカ・セル基地局が、モバイル・デバイスへ送信を送る。さらに、送信に応答するアクノレッジメントのためのリソースが、（例えば、モバイル・デバイスに対応する識別子、アンカ・セル基地局によって識別された送信のために利用される物理リソースのような）これら基準に基づいて、非アンカ・セル基地局によって認識されうる。さらに、リソースは、アクノレッジメントを検出するために、非アンカ・セル基地局によってモニタされうる。したがって、非アンカ・セル基地局は、ＣｏＭＰ環境において、例えば、モニタ・デバイスのスケジュール、モバイル・デバイスとの制御シグナリングの交換等を担当することなく、アクノレッジメントのためのアップリンクをモニタしうる。しかしながら、権利主張される主題は、前述の例に限定されないことが認識されるべきである。
【００７４】
本明細書に記載された１または複数の態様にしたがって、無線通信環境において、アクノレッジメントを送信または受信するためのリソースを選択することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７５】
例によれば、上述された１または複数の方法は、アクノレッジメントのためのリソースを決定することに関して推論を行うことを含みうる。さらなる例示によれば、ＣｏＭＰ環境において適用する協調技術（単数または複数）を識別することに関連して推論がなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００７６】
図１０は、ＣｏＭＰ無線通信システムにおいてアクノレッジメントを送信および／または受信するモバイル・デバイス１０００の例示である。モバイル・デバイス１０００は、例えば（図示しない）受信アンテナから信号を受信し、受信した信号に対して（例えば、フィルタ、増幅、ダウンコンバート等のような）一般的な動作を実行し、この調整された信号をデジタル化してサンプルを得る（例えば、図２の受信構成要素のような）受信機１００２を備える。受信機１００２は、例えばＭＭＳＥ受信機であり、受信したシンボルを復調し、それらをチャネル推定のためにプロセッサ１００６へ送る復調器１００４を備えうる。プロセッサ１００６は、受信機１００２によって受信された情報の分析、および／または、（例えば、図２のアクノレッジメント送信構成要素２１０、図４の送信構成要素４１４のような）送信機１０１６による送信のための情報の生成に特化されたプロセッサ、モバイル・デバイス１０００の１または複数の構成要素を制御するプロセッサ、および／または、受信機１００２によって受信された情報を分析し、送信機１０１６による送信のための情報を生成し、モバイル・デバイス１０００の１または複数の構成要素を制御するプロセッサでありうる。
【００７７】
モバイル・デバイス１０００はさらに、メモリ１００８を備えうる。このメモリは、プロセッサ１００６に動作可能に接続され、送信されるべきデータ、受信されたデータ、本明細書に記載されたさまざまな動作および機能を実行することに関連するその他任意の適切な情報を格納しうる。メモリ１００８は、例えば、基準に基づいて、アクノレッジメントのためのリソースを識別することと、これらリソースでアクノレッジメントを送信することと、アクノレッジメントを検出するためにこれらリソースをモニタすること等に関連付けられたアルゴリズムおよび／またはプロトコルを格納しうる。
【００７８】
本明細書に記載されたデータ・ストア（例えば、メモリ１００８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１００８は、限定される訳ではないが、これらおよびその他任意の適切なタイプのメモリを備えることが意図される。
【００７９】
プロセッサ１００６は、リソース選択構成要素１０１０および／またはアクノレッジメント復調構成要素１０１２に動作可能に接続されうる。リソース選択構成要素１０１０は、図２のリソース選択構成要素２０８に実質的に類似しうるか、および／または、アクノレッジメント復調構成要素１０１２は、図２のアクノレッジメント復調構成要素２１２に実質的に類似しうる。例によれば、モバイル・デバイス１０００は、（例えば、図２の受信構成要素２０６のような）受信機１００２を用いて送信を受信し、リソース選択構成要素１０１０を用いて、１または複数の基準に基づいて、この送信に応答するアクノレッジメントのために使用するリソースを認識し、（例えば、図２のアクノレッジメント送信構成要素２１０のような）送信機１０１６によって、認識されたリソースを用いてアクノレッジメントを送信しうる。他の例によれば、アクノレッジメント復調構成要素１０１２は、アクノレッジメントを送信するために適用されうるリソースを識別し、この識別されたリソースでアクノレッジメントが送信されたかを認識するために、この識別されたリソースを観察しうる。モバイル・デバイス１０００はさらに、変調器１０１４と、データ、信号等を基地局へ送信する送信機１０１６とを備えうる。プロセッサ１００６と別に図示されているが、リソース選択構成要素１０１０、アクノレッジメント復調構成要素１０１２、および／または、変調器１０１４は、プロセッサ１００６または多くのプロセッサ（図示せず）の一部でありうることが認識されるべきである。
【００８０】
図１１は、ＣｏＭＰ無線通信環境において、アクノレッジメントを送信および／または受信するシステム１１００の例示である。システム１１００は、複数の受信アンテナ１１０６によって１または複数のモバイル・デバイス１１０４から信号（単数または複数）を受信する（例えば、図２の受信講師得要素２０６のような）受信機１１１０と、送信アンテナ１１０８によって１または複数のモバイル・デバイス１１０４へ送信する（例えば、図２のアクノレッジメント送信構成要素２１０のような）送信機１１２４とを有する、基地局１１０２（例えば、アクセス・ポイント）を備える。さらに、基地局１１０２は、１または複数の別の基地局からの、複数の受信アンテナ１１０６を介した信号（単数または複数）を、受信機１１１０を用いて受信し、および／または、送信機１１２４を用いて、送信アンテナ１１０８を介して、１または複数の別の基地局へ送信しうる。別の例示によれば、基地局１１０２は、バックホールによって、１または別の基地局からの信号（単数または複数）を（例えば、受信機１１１０を用いて）受信したり、および／または、信号（単数または複数）を（例えば、送信機１１２４を用いて）１または別の基地局へ送信しうる。受信機１１１０は、受信アンテナ１１０６から情報を受信する。さらに、受信した情報を復調する復調器１１１２と動作可能に関連付けられている。復調されたシンボルは、図１０に関連して上述したプロセッサに類似しうるプロセッサ１１１４によって分析される。プロセッサ１１１４はメモリ１１１６に接続されており、メモリ１１１６は、モバイル・デバイス（単数または複数）１１０４および／または別の基地局（単数または複数）との間で送信または受信されるデータおよび／または、本明細書に記載されたさまざまな動作および機能を実行することに関連するその他任意の適切な情報を格納する。プロセッサ１１１４はさらに、アクノレッジメント復調構成要素１１１８および／またはリソース選択構成要素１１２０に接続されている。リソース選択構成要素１１２０は、図２のリソース選択構成要素２０８に実質的に類似しうるか、および／または、アクノレッジメント復調構成要素１１１８は、図２のアクノレッジメント復調構成要素２１２に実質的に類似しうる。例によれば、基地局１１０２は、（例えば、図２の受信構成要素２０６のような）受信機１１１０を用いて送信を受信し、リソース選択構成要素１１２０を用いて、１または複数の基準に基づいて、この送信に応答するアクノレッジメントのために適用するリソースを認識し、（例えば、図２のアクノレッジメント送信構成要素２１０のような）送信機１１２４によって、認識されたリソースを用いてアクノレッジメントを送信しうる。別の例によれば、アクノレッジメント復調構成要素１１１８は、アクノレッジメントを送信するために適用されうるリソースを識別し、この識別されたリソースでアクノレッジメントが送信されたかを認識するために、この識別されたリソースを観察しうる。さらに、図示されていないが、基地局１１０２はさらに、（例えば、制御送信構成要素３０８に実質的に類似した）送信制御構成要素、および／または、（例えば、協調構成要素３１０、３１２に実質的に類似した）協調構成要素を含みうることが認識されるべきである。基地局１１０２はさらに、変調器１１２２を含みうる。変調器１１２２は、前述した記載にしたがって、送信機１１２４によってアンテナ１１０８を介してモバイル・デバイス（単数または複数）１１０４へ送信されるフレームを多重化しうる。プロセッサ１１１４と別に図示されているが、アクノレッジメント復調構成要素１１１８、リソース選択構成要素１１２０、および／または、変調器１１２２は、プロセッサ１１１４または多くのプロセッサ（図示せず）のうちの一部でありうることが認識されるべきである。
【００８１】
図１２は、無線通信システム１２００の例を示す。無線通信システム１２００は、簡潔さの目的で、１つの基地局１２１０と１つのモバイル・デバイス１２５０とを示している。しかしながら、システム１２００は、１より多い基地局、および／または、１より多いモバイル・デバイスを含むことができ、これら追加の基地局および／またはモバイル・デバイスは、以下に説明する基地局１２１０およびモバイル・デバイス１２５０の例と実質的に同じでも、別のものでもありうることが認識されるべきである。さらに、基地局１２１０および／またはモバイル・デバイス１２５０は、無線通信を容易にするために、本明細書に記載されたシステム（図１−７、１０−１１、１３−１４）および／または方法（図８−９）を適用しうることが認識されるべきである。
【００８２】
基地局１２１０では、多くのデータ・ストリームのためのトラフィック・データが、データ・ソース１２１２から送信（ＴＸ）データ・プロセッサ１２１４へ提供される。一例によれば、おのおののデータ・ストリームが、それぞれのアンテナを介して送信される。ＴＸデータ・プロセッサ１２１４は、トラフィック・データ・ストリームをフォーマットし、このデータ・ストリームのために選択された特定の符号化スキームに基づいて符号化し、インタリーブして、符号化されたデータを提供する。
【００８３】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１２５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１２３０によって実行または提供される指示によって決定されうる。メモリ１２３２は、プロセッサ１２３０、あるいは、基地局１２１０のその他の構成要素によって使用されるプログラム・コード、データ、およびその他の情報を格納しうる。
【００８４】
データ・ストリームの変調シンボルは、（例えば、ＯＦＤＭのために）変調シンボルを処理するＴＸ  ＭＩＭＯプロセッサ１２２０に提供される。その後、ＴＸ  ＭＩＭＯプロセッサ１２２０は、ＮＴ個の変調シンボル・ストリームをＮＴ個の送信機（ＴＭＴＲ）１２２２ｔ乃至１２２２ａに提供する。さまざまな実施形態において、ＴＸ  ＭＩＭＯプロセッサ１２２０は、データ・ストリームのシンボル、および、そのシンボルが送信されるアンテナへ、ビームフォーミング重みを適用する。
【００８５】
おのおのの送信機１２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１２２２ａ乃至１２２２ｔからのＮＴ個の変調信号は、ＮＴ個のアンテナ１２２４ａ乃至１２２４ｔそれぞれから送信される。
【００８６】
モバイル・デバイス１２５０では、送信された変調信号がＮＲ個のアンテナ１２５２ａ乃至１２５２ｒによって受信され、受信された信号が、各アンテナ１２５２からそれぞれの受信機（ＲＣＶＲ）１２５４ａ乃至１２５４ｒへ提供される。おのおのの受信機１２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８７】
ＲＸデータ・プロセッサ１２６０は、ＮＲ個の受信機１２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１２６０は、検出されたおのおののシンボル・ストリームを復調し、デインタリーブし、復号して、そのデータ・ストリームのためのトラフィック・データを復元する。ＲＸデータ・プロセッサ１２６０による処理は、基地局１２１０におけるＴＸ  ＭＩＭＯプロセッサ１２２０およびＴＸデータ・プロセッサ１２１４によって実行されるものと相補的である。
【００８８】
プロセッサ１２７０は、上述したように、どの事前符号化行列を使用するのかを定期的に決定する。さらに、プロセッサ１２７０は、行列インデクス部およびランク値部を備えた逆方向リンク・メッセージを規定することができる。
【００８９】
逆方向リンク・メッセージは、通信リンクおよび／または受信されたデータ・ストリームに関するさまざまなタイプの情報を備えうる。逆方向リンク・メッセージは、ＴＸデータ・プロセッサ１２３８によって処理され、変調器１２８０によって変調され、送信機１２５４ａ乃至１２５４ｒによって調整され、基地局１２１０へ送り返される。ＴＸデータ・プロセッサ１２３８はまた、データ・ソース１２３６から多くのデータ・ストリームのトラフィック・データを受け取る。
【００９０】
基地局１２１０では、モバイル・デバイス１２５０からの変調信号が、アンテナ１２２４によって受信され、受信機１２２２によって調整され、復調器１２４０によって復調され、ＲＸデータ・プロセッサ１２４２によって処理されることにより、モバイル・デバイス１２５０によって送信された逆方向リンク・メッセージが抽出される。さらに、プロセッサ１２３０は、ビームフォーミング重みを決定するためにどの事前符号化行列を使用するかを決定するために、この抽出されたメッセージを処理する。
【００９１】
プロセッサ１２３０およびプロセッサ１２７０は、基地局１２１０およびモバイル・デバイス１２５０それぞれにおける動作を指示（例えば、制御、調整、管理等）する。プロセッサ１２３０およびプロセッサ１２７０はそれぞれ、プログラム・コードおよびデータを格納するメモリ１２３２およびメモリ１２７２に関連付けられうる。プロセッサ１２３０およびプロセッサ１２７０はまた、アップリンクおよびダウンリンクそれぞれのための周波数およびインパルス応答推定値を導出する計算をも実行する。
【００９２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００９３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９５】
図１３を参照して、無線通信環境においてアクノレッジメントを生成することを可能にするシステム１３００が例示されている。例えば、システム１３００は、基地局内に少なくとも部分的に存在しうる。別の例によれば、システム１３００は、モバイル・デバイス内に存在しうる。システム１３００は、プロセッサ、ソフトウェア、またはそれらの組み合わせ（例えば、ファームウェア）によって実現される機能を表す機能ブロックでありうる機能ブロックを含むものとして示されることが認識されるべきである。システム１３００は、連携して動作しうる電子構成要素の論理グループ１３０２を含む。例えば、論理グループ１３０２は、コーディネート・マルチポイント（ＣｏＭＰ）環境において送信を受信するための電子構成要素１３０４を含みうる。さらに、論理グループ１３０２は、モバイル・デバイスに対応する識別子、または、送信に関連付けられた物理リソースのうちの少なくとも１つに応じて、この送信に対するアクノレッジメントのために利用されるリソースを選択するための電子構成要素１３０６を含みうる。さらに、論理グループ１３０２は、この送信に応答して、リソースを用いてアクノレッジメントを送信するための電子構成要素１３０８を含みうる。さらに、システム１３００は、電子構成要素１３０４、１３０６、１３０８に関連付けられた機能を実行するための命令群を保持するメモリ１３１０を含みうる。メモリ１３１０の外側にあると示されているが、電子構成要素１３０４、１３０６、１３０８のうちの１または複数は、メモリ１３１０内に存在しうることが理解されるべきである。
【００９６】
図１４を参照して、無線通信環境において、アクノレッジメントのチャネルをモニタすることを可能にするシステム１４００が例示されている。例えば、システム１４００は、基地局内に少なくとも部分的に存在しうる。別の例によれば、システム１４００は、モバイル・デバイス内に存在しうる。システム１４００は、プロセッサ、ソフトウェア、またはそれらの組み合わせ（例えば、ファームウェア）によって実現される機能を表す機能ブロックでありうる機能ブロックを含むものとして示されることが認識されるべきである。システム１４００は、連携して動作しうる電子構成要素の論理グループ１４０２を含む。例えば、論理グループ１４０２は、モバイル・デバイスに対応する識別子、または、送信に関連付けられた物理リソースのうちの少なくとも１つに応じて、コーディネート・マルチポイント（ＣｏＭＰ）環境における送信に対するアクノレッジメントのためのリソースを識別するための電子構成要素１４０４を含みうる。さらに、論理グループ１４０２は、このリソースにおけるアクノレッジメントの受信を検出するための電子構成要素１４０６を含みうる。さらに、システム１４００は、電子構成要素１４０４、１４０６に関連付けられた機能を実行するための命令群を保持するメモリ１４０８を含みうる。メモリ１４０８の外側にあると示されているが、電子構成要素１４０４、１４０６のうちの１または複数は、メモリ１４０８内に存在しうることが理解されるべきである。
【００９７】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００９８】
さらに、本明細書に開示された態様に関して記述された方法またはアルゴリズムのステップおよび／または動作は、ハードウェアによって直接的に、プロセッサによって実行されるソフトウェア・モジュールで、あるいは、これら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。それに加えて、いくつかの態様では、方法またはアルゴリズムのステップおよび／または動作が、コンピュータ・プログラム製品に組み込まれうるマシン読取可能媒体および／またはコンピュータ読取可能媒体における命令群および／またはコードのうちの１つまたは任意の組み合わせまたはセットとして存在しうる。
【００９９】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【０１００】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に本願発明の当初の特許請求の範囲に記載された発明を付記する。
［Ｃ１］
方法であって、
非アンカ・セル基地局に対して識別可能な基準に基づいて、コーディネート・マルチポイント（ＣｏＭＰ）環境において、アクノレッジメントのためのリソースを識別することと、
受信した送信に応答して、前記リソースによって、前記アクノレッジメントを送信することと
を備える方法。
［Ｃ２］
前記ＣｏＭＰ環境において、協調技術が実施されるＣ１に記載の方法。
［Ｃ３］
前記協調技術は、サイト間パケット共有、協調的ビームフォーミング、または協調的サイレンスによる複合送信のうちの１または複数であるＣ２に記載の方法。
［Ｃ４］
前記基準は、モバイル・デバイスに関連付けられた識別子であるＣ１に記載の方法。
［Ｃ５］
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つであるＣ４に記載の方法。
［Ｃ６］
前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられるＣ４に記載の方法。
［Ｃ７］
前記識別子は、予め定めたリソースのセットにマップするＣ４に記載の方法。
［Ｃ８］
前記基準は、前記受信した送信に対応する物理リソースであるＣ１に記載の方法。
［Ｃ９］
前記物理リソースは、アンカ・セル基地局によってスケジュールされるＣ８に記載の方法。
［Ｃ１０］
アンカ・セル基地局は、協調技術を実施した場合、物理リソースを、前記非アンカ・セル基地局に対して、スケジュールされたものとして示すので、前記物理リソースは、前記非アンカ・セル基地局に対して識別可能であるＣ８に記載の方法。
［Ｃ１１］
前記受信し送信に関連付けられた可能なトラフィック・リソース設定のセットから、特定のトラフィック・リソース設定を認識することと、
前記特定のトラフィック・リソース設定のリンクされたアクノレッジメントのためのリソースを識別することと
をさらに備えるＣ８に記載の方法。
［Ｃ１２］
受信される送信をダウンリンクで取得することと、
前記アクノレッジメントをアップリンクで送信することと
をさらに備えるＣ１に記載の方法。
［Ｃ１３］
受信される送信をアップリンクで取得することと、
前記アクノレッジメントをダウンリンクで送信することと
をさらに備えるＣ１に記載の方法。
［Ｃ１４］
前記ダウンリンクで送信されるアクノレッジメントのために、専用基準信号を利用することをさらに備えるＣ１３に記載の方法。
［Ｃ１５］
前記非アンカ・セル基地局からのアクノレッジメントを前記ダウンリンクで送信することをさらに備えるＣ１３に記載の方法。
［Ｃ１６］
無線通信装置であって、
協調技術が実施されるコーディネート・マルチポイント（ＣｏＭＰ）環境において、送信を受信し、
非アンカ・セル基地局に対して識別可能な基準に基づいて、前記送信に応答するアクノレッジメントのためのリソースを識別し、
前記リソースを利用して前記アクノレッジメントを送信する
ように構成された少なくとも１つのプロセッサを備える無線通信装置。
［Ｃ１７］
前記基準は、予め定めたリソースのセットにマップするモバイル・デバイスに関連付けられた識別子であるＣ１６に記載の無線通信装置。
［Ｃ１８］
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つであるＣ１７に記載の無線通信装置。
［Ｃ１９］
前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられるＣ１７に記載の無線通信装置。
［Ｃ２０］
前記基準は、前記送信に対応する物理リソースであるＣ１６に記載の無線通信装置。
［Ｃ２１］
前記物理リソースは、前記協調技術が実施された場合に、前記非アンカ・セル基地局へスケジュールされたものとして前記物理リソースを示すアンカ・セル基地局を介して前記非アンカ・セル基地局に識別可能であるＣ２０に記載の無線通信装置。
［Ｃ２２］
前記送信に関連付けられた可能なサブ帯域のセットから、特定のサブ帯域を認識し、
前記特定のサブ帯域へマップされたアクノレッジメントのためのリソースを識別するように構成された少なくとも１つのプロセッサをさらに備えるＣ２０に記載の無線通信装置。
［Ｃ２３］
装置であって、
コーディネート・マルチポイント（ＣｏＭＰ）環境において送信を受信する手段と、
前記送信に関連付けられた物理リソース、または、モバイル・デバイスに対応する識別子のうちの少なくとも１つに応じて、前記送信に対するアクノレッジメントのために利用するリソースを選択する手段と、
前記リソースを用いて、前記送信に応答して前記アクノレッジメントを送る手段と
を備える装置。
［Ｃ２４］
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つであるＣ２３に記載の装置。
［Ｃ２５］
前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられるＣ２３に記載の装置。
［Ｃ２６］
前記物理リソースは、前記ＣｏＭＰ環境において協調技術が実施された場合に、前記非アンカ・セル基地局へスケジュールされたものとして前記物理リソースを示すアンカ・セル基地局を介して非アンカ・セル基地局に識別可能であるＣ２３に記載の装置。
［Ｃ２７］
コンピュータ読取可能媒体を備えるコンピュータ・プログラム製品であって、
前記コンピュータ読取可能媒体は、
少なくとも１つのコンピュータに対して、協調技術を適用するコーディネート・マルチポイント（ＣｏＭＰ）環境において送信を受信させるためのコードと、
前記少なくとも１つのコンピュータに対して、前記送信に関連付けられた物理リソース、または、モバイル・デバイスに対応する識別子のうちの少なくとも１つに応じて、前記送信に対するアクノレッジメントのために利用するリソースを選択させるためのコードと、
前記少なくとも１つのコンピュータに対して、前記リソースを用いて、前記送信に応答して前記アクノレッジメントを送らせるためのコードと
を備えるコンピュータ・プログラム製品。
［Ｃ２８］
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つであるＣ２７に記載のコンピュータ・プログラム製品。
［Ｃ２９］
前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられるＣ２７に記載のコンピュータ・プログラム製品。
［Ｃ３０］
前記物理リソースは、前記ＣｏＭＰ環境において協調技術が実施された場合に、前記非アンカ・セル基地局へスケジュールされたものとして前記物理リソースを示すアンカ・セル基地局を介して非アンカ・セル基地局に識別可能であるＣ２７に記載のコンピュータ・プログラム製品。
［Ｃ３１］
装置であって、
送信のためのチャネルをモニタする受信構成要素と、
コーディネート・マルチポイント（ＣｏＭＰ）環境において、非アンカ・セル基地局によって識別可能な１または複数の基準に基づいて、前記送信に応答するアクノレッジメントのためのリソースを選択するリソース選択構成要素と、
前記リソースを利用することによって前記アクノレッジメントを送信するアクノレッジメント送信構成要素と
を備える装置。
［Ｃ３２］
サイト間パケット共有、協調的ビームフォーミング、または協調的サイレンスによる複合送信のうちの１または複数を有効にするために、少なくとも１つの別の基地局との動作を調整する協調構成要素をさらに備えるＣ３１に記載の装置。
［Ｃ３３］
方法であって、
非アンカ・セル基地局に対して識別可能な基準に基づいて、コーディネート・マルチポイント（ＣｏＭＰ）環境において、アクノレッジメントのためのリソースを認識することと、
前記アクノレッジメントを検出するため前記リソースをモニタすることと
を備える方法。
［Ｃ３４］
前記ＣｏＭＰ環境において、協調技術が実施され、前記協調技術は、サイト間パケット共有、協調的ビームフォーミング、または協調的サイレンスによる複合送信のうちの１または複数であるＣ３３に記載の方法。
［Ｃ３５］
前記基準は、予め定めたリソースのセットにマップするモバイル・デバイスに関連付けられた識別子であるＣ３３に記載の方法。
［Ｃ３６］
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つであるＣ３５に記載の方法。
［Ｃ３７］
前記識別子は、前記非アンカ・セル基地局を含む複数の基地局間でネゴシエートされることによって、前記非アンカ・セル基地局に対して識別可能であり、前記モバイル・デバイスが無線通信システムに入ると、前記モバイル・デバイスへ割り当てられるＣ３５に記載の方法。
［Ｃ３８］
前記基準は、送信が送られる物理リソースであり、前記アクノレッジメントが、前記送信に応答するＣ３３に記載の方法。
［Ｃ３９］
アンカ・セル基地局は、協調技術が実施された場合、物理リソースを、前記非アンカ・セル基地局に対してスケジュールされたものとして示すので、前記物理リソースは、前記非アンカ・セル基地局に対して識別可能であるＣ３８に記載の方法。
［Ｃ４０］
アンカ・セル基地局によって送られた送信に応答するアクノレッジメントを検出するために、前記非アンカ・セル基地局を用いて前記リソースをモニタすることをさらに備えるＣ３３に記載の方法。
［Ｃ４１］
無線通信装置であって、
非アンカ・セル基地局に対して識別可能な基準に基づいて、コーディネート・マルチポイント（ＣｏＭＰ）環境において、アクノレッジメントのためのリソースを認識し、
前記リソースにおいて前記アクノレッジメントを検出する
ように構成された少なくとも１つのプロセッサを備える無線通信装置。
［Ｃ４２］
前記基準は、予め定めたリソースのセットにマップするモバイル・デバイスに関連付けられた識別子であるＣ４１に記載の無線通信装置。
［Ｃ４３］
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つであるＣ４２に記載の無線通信装置。
［Ｃ４４］
前記基準は、トラフィックが送られる物理リソースであり、前記アクノレッジメントが、前記トラフィックに応答するＣ４１に記載の無線通信装置。
［Ｃ４５］
装置であって、
送信に関連付けられた物理リソース、または、モバイル・デバイスに対応する識別子のうちの少なくとも１つに応じて、コーディネート・マルチポイント（ＣｏＭＰ）環境において、前記送信に対するアクノレッジメントのためのリソースを識別する手段と、
前記リソースにおけるアクノレッジメントの受信を検出する手段と
を備える装置。
［Ｃ４６］
前記識別子は、前記モバイル・デバイスの媒体アクセス制御識別子（ＭＡＣＩＤ）、前記モバイル・デバイスのセル・ラジオ・ネットワーク・テンポラリ識別子（Ｃ−ＲＮＴＩ）、または、前記モバイル・デバイスのショートＣ−ＲＮＴＩのうちの少なくとも１つであるＣ４５に記載の装置。
［Ｃ４７］
コンピュータ読取可能媒体を備えるコンピュータ・プログラム製品であって、
前記コンピュータ読取可能媒体は、
少なくとも１つのコンピュータに対して、送信に関連付けられた物理リソース、または、モバイル・デバイスに対応する識別子のうちの少なくとも１つに応じて、協調技術を適用するコーディネート・マルチポイント（ＣｏＭＰ）環境において、前記送信に対するアクノレッジメントのためのリソースを認識させるためのコードと、
少なくとも１つのコンピュータに対して、前記リソースにおけるアクノレッジメントの受信を検出させるためのコードと
を備えるコンピュータ・プログラム製品。
［Ｃ４８］
前記送信に関連付けられた物理リソースまたはモバイル・デバイスに対応する識別子のうちの少なくとも１つは、非アンカ・セル基地局に対して識別可能であるＣ４７に記載のコンピュータ・プログラム製品。
［Ｃ４９］
装置であって、
コーディネート・マルチポイント（ＣｏＭＰ）環境におけるサイト間パケット共有、協調的ビームフォーミング、協調的サイレンスによる複合送信のうちの１または複数を有効にするために、少なくとも１つの別の基地局との動作を調整する協調構成要素と、
前記送信に関連付けられた物理リソース、または、モバイル・デバイスに対応する識別子のうちの１または複数に基づいてアクノレッジメントのためのリソースを認識し、前記リソースにおいて前記アクノレッジメントが受信されたかを認識するために前記リソースを観察するアクノレッジメント復調構成要素と
を備える装置。
［Ｃ５０］
前記送信に関連付けられた物理リソースまたはモバイル・デバイスに対応する識別子のうちの少なくとも１つは、非アンカ・セル基地局に対して識別可能であるＣ４９に記載の装置。
【図１】
0005680710.tif 000002
【図２】
0005680710.tif 000003
【図３】
0005680710.tif 000004
【図４】
0005680710.tif 000005
【図５】
0005680710.tif 000006
【図６】
0005680710.tif 000007
【図７】
0005680710.tif 000008
【図８】
0005680710.tif 000009
【図９】
0005680710.tif 000010
【図１０】
0005680710.tif 000011
【図１１】
0005680710.tif 000012
【図１２】
0005680710.tif 000013
【図１３】
0005680710.tif 000014
【図１４】
0005680710.tif 000015